(57)【要約】【課題】電子カルテに記載された個々のカルテ情報をいつ・誰が記載したのかが分かる電子カルテ装置及び電子カルテプログラムを提供すること。【解決手段】電子カルテ装置では、記載処理部によって、ユーザー操作に応じて電子カルテに複数のカルテ情報が順次に記載され、取得処理部によって、前記記載処理部により前記電子カルテに前記カルテ情報が記載されるごとに、当該カルテ情報の記載者を示す記載者識別情報と当該カルテ情報の記載日時を示す記載日時情報とを含む記載者情報が取得され、記憶処理部によって、前記取得処理部により取得される前記記載者情報が前記カルテ情報と関連付けて記憶部に記憶される。【選択図】図７
2020170549.tif 000002
【特許請求の範囲】
【請求項１】
第１ユーザーによる操作、又は当該第１ユーザーと同等の権限が付与され当該第１ユーザーの操作を代行する第２ユーザーによる操作に応じて、電子カルテにカルテ情報を記載する記載処理部と、
前記記載処理部により記載される前記カルテ情報の記載者を示す記載者識別情報を前記カルテ情報と関連付けて記憶部に記憶する記憶処理部と、
前記カルテ情報と共に、当該カルテ情報に関連付けられた前記記載者情報を表示部に表示させる表示制御部と、
を備え、
前記記憶処理部は、前記カルテ情報の記載者が前記第２ユーザーである場合は、当該第２ユーザーを示す識別情報を前記記載者識別情報として前記記憶部に記憶し、
前記表示制御部は、前記カルテ情報の記載者が前記第２ユーザーである場合は、当該カルテ情報に関連付けられた前記記載者識別情報に基づいて、前記第１ユーザーの識別情報及び前記第２ユーザーの識別情報を表示させる、
電子カルテシステム。
【請求項２】
前記記憶処理部は、前記カルテ情報の記載者が前記第２ユーザーである場合は、当該第２ユーザーを示す識別情報、及び当該第２ユーザーが代行する対象の前記第１ユーザーを示す識別情報を前記記載者識別情報として前記記憶部に記憶する、
請求項１に記載の電子カルテシステム。
【請求項３】
前記表示制御部は、前記第２ユーザーの識別情報と共に前記カルテ情報の記載者が前記代行操作者である旨を示す文字を表示させる、
請求項１又は２に記載の電子カルテシステム。
【請求項４】
前記表示制御部は、ユーザー操作に応じて前記記載者識別情報の表示及び非表示を切り替え可能である、
請求項１〜３のいずれかに記載の電子カルテシステム。
【請求項５】
前記記憶処理部は、前記記載処理部により同一の電子カルテに新たなカルテ情報が追加されるごとに、当該新たなカルテ情報の記載者を示す前記記載者識別情報を当該カルテ情報と関連付けて前記記憶部に記憶し、
前記表示制御部は、前記電子カルテを表示する際に、当該電子カルテに記載された前記カルテ情報各々と共に、当該カルテ情報に関連付けられた前記記載者識別情報を表示させる、
請求項１〜４のいずれかに記載の電子カルテシステム。
【請求項６】
前記表示制御部は、前記第１ユーザー及び前記第２ユーザーを並べて表示する際に、前記第１ユーザーを優先して表示させる、
請求項１〜５のいずれかに記載の電子カルテシステム。
【請求項７】
第１ユーザーによる操作、又は当該第１ユーザーと同等の権限が付与され当該第１ユーザーの操作を代行する第２ユーザーによる操作に応じて、電子カルテにカルテ情報を記載する記載処理ステップと、
前記記載処理ステップにより記載される前記カルテ情報の記載者を示す記載者識別情報を前記カルテ情報と関連付けて記憶部に記憶する記憶処理ステップと、
前記カルテ情報と共に、当該カルテ情報に関連付けられた前記記載者情報を表示部に表示させる表示ステップと、
をプロセッサーに実行させるための電子カルテプログラムであって、
前記記憶処理ステップは、前記カルテ情報の記載者が前記第２ユーザーである場合は、当該第２ユーザーを示す識別情報を前記記載者識別情報として前記記憶部に記憶し、
前記表示ステップは、前記カルテ情報の記載者が前記第２ユーザーである場合は、当該カルテ情報に関連付けられた前記記載者識別情報に基づいて、前記第１ユーザーの識別情報及び前記第２ユーザーの識別情報を表示させる、
電子カルテプログラム。
【発明の詳細な説明】
【技術分野】
【０００１】
本発明は、電子カルテシステム及び電子カルテプログラムに関する。
【背景技術】
【０００２】
近年、病院などの医療機関では、患者の診療に関する診療情報を電子カルテと称される電子データで管理する電子カルテシステム（例えば特許文献１参照）が利用される。電子カルテへの入力は、例えばタッチパネルディスプレイに表示されたキーパッドなどを利用して行うことができる。
【先行技術文献】
【特許文献】
【０００３】
【特許文献１】特許第４８１１３８３号公報
【発明の概要】
【発明が解決しようとする課題】
【０００４】
ところで、電子カルテにおいては、作成の責任の所在を明確にすること、すなわち、第三者から見て、いつ・誰が作成したものかが明確になっていることが求められている。そこで、電子カルテシステムでは、電子カルテを最終的に保存したユーザ（例えば、医師）と、その保存日時とが記録されるのが一般的である。
【０００５】
しかしながら、電子カルテを最終的に保存したユーザーと、その保存日時とが記録されるだけでは、複数のユーザー（例えば、医師、事務員、看護師、准看護師）によって電子カルテに複数の情報（カルテ情報）が順次に記載された場合に、個々のカルテ情報をいつ・誰が記入したのかが分からない。
【０００６】
本発明の目的は、電子カルテに記載された個々のカルテ情報をいつ・誰が記載したのかが分かる電子カルテシステム及び電子カルテプログラムを提供することにある。
【課題を解決するための手段】
【０００７】
本発明に係る電子カルテシステムは、ユーザー操作に応じて電子カルテにカルテ情報を記載する記載処理部と、前記記載処理部により同一の電子カルテに新たなカルテ情報が追加されるごとに、当該カルテ情報の記載者を示す記載者識別情報と当該カルテ情報の記載日時を示す記載日時情報とを含む記載者情報を取得する取得処理部と、前記取得処理部により取得される前記記載者情報を、前記新たなカルテ情報と関連付けて記憶部に記憶する記憶処理部とを備える。
【０００８】
本発明に係る電子カルテプログラムは、ユーザー操作に応じて電子カルテにカルテ情報を記載する記載処理ステップと、前記記載処理ステップにおいて同一の電子カルテに新たなカルテ情報が追加されるごとに、当該カルテ情報の記載者を示す記載者識別情報と当該カルテ情報の記載日時を示す記載日時情報とを含む記載者情報を取得する取得処理ステップと、前記取得処理ステップにおいて取得される前記記載者情報を、前記新たなカルテ情報と関連付けて記憶部に記憶する記憶処理ステップとをプロセッサーに実行させるための電子カルテプログラムである。
【発明の効果】
【０００９】
本発明によれば、電子カルテに記載された個々のカルテ情報をいつ・誰が記載したのかが分かる電子カルテシステム及び電子カルテプログラムが提供される。
【図面の簡単な説明】
【００１０】
【図１】図１は、本発明の実施の形態に係る電子カルテシステムの構成を示す図である。
【図２】図２は、本発明の実施の形態に係る電子カルテシステムで表示されるアカウント管理画面の一例を示す図である。
【図３】図３は、本発明の実施の形態に係る電子カルテシステムで使用されるアカウント管理マスターの一例を示す図である。
【図４】図４は、本発明の実施の形態に係る電子カルテシステムで表示されるカルテ画面の一例を示す図である。
【図５】図５は、本発明の実施の形態に係る電子カルテシステムで表示されるカルテ画面の一例を示す図である。
【図６】図６は、本発明の実施の形態に係る電子カルテシステムで使用されるＸＭＬ情報の一例を示す図である。
【図７】図７は、本発明の実施の形態に係る電子カルテシステムで表示されるカルテ画面の一例を示す図である。
【図８】図８は、本発明の実施の形態に係る電子カルテシステムで実行される電子カルテ処理の一例を示す図である。
【発明を実施するための形態】
【００１１】
以下添付図面を参照しながら、本発明の実施の形態について説明し、本発明の理解に供する。なお、以下の実施の形態は、本発明を具体化した一例であって、本発明の技術的範囲を限定する性格のものではない。
【００１２】
［電子カルテシステム１］
図１に示すように、本発明の実施の形態に係る電子カルテシステム１は、電子カルテ装置１０と、一又は複数のクライアント端末２０と、プリンター３０とを備える。前記電子カルテ装置１０、前記クライアント端末２０、及び前記プリンター３０は、ＬＡＮ又はインターネット等のネットワーク４０を介して通信可能である。
【００１３】
［電子カルテ装置１０］
前記電子カルテ装置１０は、制御部１１、記憶部１２、表示部１３、操作部１４、通信ＩＦ１５、及びドライブ装置１６などを備えるコンピュータである。なお、前記電子カルテ装置１０は、前記電子カルテ装置１０が使用される病院又は薬局等の医療機関の内部又は外部に設けられる。即ち、前記電子カルテ装置１０が前記医療機関の外部に設けられ、前記クライアント端末２０が前記医療機関に設けられてもよい。
【００１４】
前記電子カルテ装置１０は、前記クライアント端末２０の操作に応じて患者の診療情報を含む電子カルテへの情報（カルテ情報）の記載及び更新などの編集処理を実行することが可能な電子カルテ編集機能を備える。また、前記電子カルテ装置１０は、前記クライアント端末２０の操作に応じて会計情報の登録及び更新などの会計処理を実行することが可能なレセプト電算処理システムの機能を有していてもよい。
【００１５】
前記制御部１１は、ＣＰＵ、ＲＯＭ、ＲＡＭ、及びＥＥＰＲＯＭ（登録商標）などの制御機器を有する。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。そして、前記制御部１１は、前記ＣＰＵを用いて、前記ＲＯＭ、前記ＥＥＰＲＯＭ、又は前記記憶部１２に予め記憶された各種の制御プログラムに従って各種の処理を実行する。
【００１６】
前記記憶部１２は、前記制御部１１によって実行される各種の制御プログラム及び各種のデータが記憶されるハードディスクドライブ、ＳＳＤ（Ｓｏｌｉｄ  Ｓｔａｔｅ  Ｄｒｉｖｅ）、又はフラッシュメモリ等の不揮発性の記憶部である。具体的に、前記記憶部１２は、プログラム領域１２１、マスター領域１２２、データ領域１２３などの記憶領域を有する。
【００１７】
前記プログラム領域１２１には、前記制御部１１に後述の電子カルテ処理（図８参照）などの各種の処理を実行させるための電子カルテプログラムが記憶される。なお、前記プログラム領域１２１には、オペレーティングシステム（ＯＳ）及びブラウザソフトなどのアプリケーションプログラムも記憶されている。
【００１８】
前記マスター領域１２２には、アカウント管理マスターＤ１が記憶される。アカウント管理マスターＤ１は、電子カルテシステム１にログインする際のユーザー認証などに用いられる。前記アカウント管理マスターＤ１は、前記電子カルテ装置１０の初期設定時又はメンテナンス時などにおいて、前記電子カルテ装置１０又は前記クライアント端末２０のユーザー操作に応じて適宜編集されて前記マスター領域１２２に記憶される。
【００１９】
ここに、図２は、前記アカウント管理マスターＤ１を編集するためのアカウント管理画面Ｐ１の一例である。アカウント管理画面Ｐ１では、電子カルテシステム１を使用するユーザーに関する情報を編集することができる。図２では、アカウント管理マスターＤ１に登録されている複数のユーザーのうちのクラークＡが選択された状態となっており、クラークＡに関する各種情報が編集可能となっている。図２に示される「代行入力権限」は、医師の操作（電子カルテに対する入力操作）を代行する代行操作の権限である。代行すべき対象医師は、ドロップダウンリストにより選択可能となっている。図２に示される例では、クラークＡに、医師Ａの代行操作を行う代行入力権限が与えられている。これにより、クラークＡは、医師Ａの代行者（医師事務作業補助者）として電子カルテに後述のカルテ情報（例えば、図５に示されるカルテ情報Ｂ１〜Ｂ２１）を記載することができる。
【００２０】
図３は、前記アカウント管理マスターＤ１に登録されているユーザーデータの一例である。図３に示されるように、アカウント管理マスターＤ１には、ユーザーごとに、ユーザーＩＤ、ユーザー名、パスワード、代行入力権限、対象医師、及び資格などの情報が登録される。前記ユーザーＩＤ及びユーザー名は、ユーザーを識別するための識別情報の一例である。前記パスワードは、電子カルテシステム１にログインする際のユーザー認証に用いられる。前記資格は、そのユーザーが保持している資格を示している。図２に示されるアカウント管理画面Ｐ１では、電子カルテに関する権限を資格ごとに個別に設定可能となっている。例えば、医師には電子カルテを参照、修正、及び保存する権限が付与され、看護師には電子カルテを参照及び修正する権限が付与され、事務員には電子カルテを参照する権限が付与される。ただし、代行入力権限を有するユーザーには、当該ユーザーの資格に関わらず、対象医師と同等の権限が付与される。
【００２１】
なお、図示は省略するが、前記マスター領域１２２には、例えば病名マスター、患者マスター、医薬品マスターなどの他のマスター情報も記憶される。
【００２２】
前記データ領域１２３には、ＸＭＬ情報Ｄ２（図６参照）及びカルテデータベースＤ３などの情報が記憶される。前記ＸＭＬ情報Ｄ２は、電子カルテに記載されたカルテ情報（すなわち、診療行為の内容などを示す情報）をＸＭＬ（Extensible Markup Language）を用いて記述したものである。ＸＭＬ情報Ｄ２は、例えば前記クライアント端末２０を用いた医師等のユーザー操作に応じて作成され、随時に更新される。前記ＸＭＬ情報Ｄ２には、前記カルテ情報に加えて、後述の記載者情報（例えば、図７に示される記載者情報Ｗ１〜Ｗ２１）も含まれる。
【００２３】
前記カルテデータベースＤ３は、電子カルテに記載された前記カルテ情報を蓄積して長期的に保存するためのデータベースである。例えば、診察の終了時などにおいて前記クライアント端末２０を用いた医師等のユーザーによりカルテ情報の保存操作が行われると、前記ＸＭＬ情報Ｄ２に含まれる前記カルテ情報及び前記記載者情報が前記カルテデータベースＤ３に保存される。
【００２４】
なお、前記アカウント管理マスターＤ１、前記ＸＭＬ情報Ｄ２、及び前記カルテデータベースＤ３のいずれか一つ又は複数が、前記電子カルテ装置１０の外部に設けられる記憶装置に記憶されてもよい。例えば、前記アカウント管理マスターＤ１、前記ＸＭＬ情報Ｄ２、及び前記カルテデータベースＤ３のいずれか一つ又は複数を記憶するサーバー装置が前記電子カルテシステム１に含まれてもよい。そして、前記制御部１１がインターネット等を介して前記サーバー装置にアクセス可能であってもよい。
【００２５】
前記表示部１３は、前記制御部１１からの制御指示に従って各種の情報を表示する液晶ディスプレイ又は有機ＥＬディスプレイなどの表示部である。前記操作部１４は、前記電子カルテ装置１０に各種の情報を入力するためにユーザーによって操作される操作部である。具体的に、前記操作部１４は、前記表示部１３に表示される各種の操作画面における入力操作を受け付けるキーボード及びマウス（ポインティングデバイス）を含む。また、前記操作部１４は、前記表示部１３に表示される各種の操作画面に対するタッチ操作を受け付けるタッチパネル、又は音声認識により各種情報の入力を受け付ける音声入力装置を含むものであってもよい。
【００２６】
前記通信ＩＦ１５は、前記ネットワーク４０を介して前記クライアント端末２０及び前記プリンター３０などの外部機器との間で、予め定められた通信プロトコルに従って無線又は有線でデータ通信を実行するネットワークカード等を有する通信インターフェースである。
【００２７】
前記ドライブ装置１６は、前記電子カルテプログラムなどが記録されたコンピュータ読み取り可能な記録媒体１６１から前記電子カルテプログラムなどの情報を読み取ることが可能である。前記記録媒体１６１は、ＣＤ、ＤＶＤ、ＢＤ、又はＵＳＢメモリなどであり、前記ドライブ装置１６は、ＣＤドライブ、ＤＶＤドライブ、ＢＤドライブ、又はＵＳＢポートなどである。そして、前記電子カルテ装置１０では、前記制御部１１により、前記ドライブ装置１６を用いて前記記録媒体１６１から読み取られた前記電子カルテプログラムが前記プログラム領域１２１に記憶される。
【００２８】
そして、このように構成された前記電子カルテ装置１０では、前記制御部１１が、記載処理部１１１、取得処理部１１２、記憶処理部１１３、表示制御部１１４、更新処理部１１５、及び印刷制御部１１６を含む。具体的に、前記制御部１１は、前記電子カルテプログラムに従って各種の処理を実行することにより、前記電子カルテ装置１０では、前記制御部１１が、記載処理部１１１、取得処理部１１２、記憶処理部１１３、表示制御部１１４、更新処理部１１５、及び印刷制御部１１６として機能する。
【００２９】
前記記載処理部１１１は、例えば前記クライアント端末２０を用いた医師等のユーザー操作に応じて電子カルテに複数の前記カルテ情報を順次に記載することが可能である。電子カルテへの前記カルテ情報の記載は、例えばカルテ画面Ｐ２を通じて行うことができる。
【００３０】
ここに、図４は、前記電子カルテ装置１０又は前記クライアント端末２０で表示されるカルテ画面Ｐ２の一例を示す図である。図４に示されるように、前記カルテ画面Ｐ２には、表示領域Ａ１〜Ａ５が含まれる。
【００３１】
前記表示領域Ａ１では、過去に作成された電子カルテなどが表示可能である。前記表示領域Ａ２では、現在の編集対象である電子カルテが表示可能である。前記表示領域Ａ３には患者の情報が表示される。また、前記表示領域Ａ４には電子カルテの編集に用いられるキーパッドが表示される。さらに、前記表示領域Ａ５には前記電子カルテの編集に用いられるショートカットキー等が表示される。
【００３２】
ここに、図５は、前記カルテ画面Ｐ２の前記表示領域Ａ２に表示される電子カルテの一例を示している。図５に示される電子カルテには、複数のカルテ情報Ｂ１〜Ｂ２１が記載済みである。
【００３３】
前記電子カルテ装置１０では、前記電子カルテに前記カルテ情報を記載する方法として、複数の方法が用意されている。例えば、前記電子カルテの所望領域をマウス又はタッチパネルで選択後、キーボードから文字列を入力することによって、前記電子カルテに前記カルテ情報を記載することができる。また、前記表示領域Ａ４に表示されているキーパッドをマウス、テンキー又はタッチパネルで操作することによって、前記電子カルテに前記カルテ情報を記載することもできる。また、任意のカルテ情報を予めセット情報として登録しておき、当該セット情報をマウス、テンキー又はタッチパネルで選択することによって、前記電子カルテに前記カルテ情報を記載することもできる。また、前記セット情報を示すアイコンを前記表示領域Ａ２に表示されている前記電子カルテの所望領域にドラッグアンドドロップ操作することによって、前記電子カルテに前記カルテ情報を記載することもできる。
【００３４】
なお、同一の電子カルテ（すなわち、同一の患者の同一の日付の電子カルテ）に対して、複数のユーザーが前記カルテ情報を順次に記載することもできる。例えば、前記電子カルテに対して医師Ａがカルテ情報を記載した後に、同一の電子カルテに対してクラークＡ及び医師Ｂが新たなカルテ情報を順次に追加することができる。
【００３５】
ところで、電子カルテにおいては、作成の責任の所在を明確にすること、すなわち、第三者から見て、いつ・誰が作成したものかが明確になっていることが求められている。そこで、電子カルテ装置では、電子カルテを最終的に保存したユーザ（例えば、医師）と、その保存日時とが記録されるのが一般的である。しかしながら、電子カルテを最終的に保存したユーザーと、その保存日時とが記録されるだけでは、複数のユーザー（例えば、医師、事務員、看護師、准看護師）によって前記電子カルテに前記カルテ情報が順次に記載された場合に、どのカルテ情報をいつ・誰が記入したのかが分からない。これに対して、本実施形態に係る電子カルテ装置１０では、以下で説明する構成により、電子カルテに記載された個々のカルテ情報をいつ・誰が記載したのかが分かるようになっている。
【００３６】
前記取得処理部１１２は、前記記載処理部１１１により前記電子カルテに前記カルテ情報が記載されるごとに、当該カルテ情報の記載者を示す記載者識別情報と当該カルテ情報の記載日時を示す記載日時情報とを含む記載者情報を取得することが可能である。前記記載者識別情報は、例えばログイン中のユーザーに対応するユーザーＩＤ又はユーザー名である。前記取得処理部１１２は、例えば前記アカウント管理マスターＤ１から前記記載者識別情報を取得する。前記記載日時情報としては、例えば前記電子カルテ装置１０及び前記クライアント端末２０との間で同期された時刻を用いることができる。もしくは、インターネット上の任意のタイムサーバーから取得される時刻（タイムスタンプ）を前記記載日時情報として用いてもよい。
【００３７】
なお、キーボードから文字列又は文章を入力することによって前記電子カルテに前記カルテ情報が記載される場合には、キーボードから入力された文字列又は文章が一旦テキストボックスに表示され、その後、最終的に確定ボタンが操作された時点で、前記カルテ情報として前記電子カルテに記載される。そして、当該カルテ情報に対応する前記記載者情報が前記取得処理部１１２によって取得される。この場合、例えば前記確定ボタンが操作された時点の日時が、前記記載日時情報として取得される。
【００３８】
また、前記セット情報を選択することによって前記電子カルテに前記カルテ情報が記載される場合には、前記セット情報が選択された時点で、当該セット情報に対応する予め登録された前記カルテ情報が前記電子カルテに記載される。そして、当該カルテ情報に対応する前記記載者情報が前記取得処理部１１２によって取得される。この場合、例えば前記セット情報が選択された時点の日時が、前記記載日時情報として取得される。
【００３９】
なお、前記取得処理部１１２は、第１ユーザーの操作を代行する第２ユーザーによる代行操作に応じて前記記載処理部１１１により前記電子カルテに前記カルテ情報が記載された場合に、前記第１ユーザー及び前記第２ユーザーの両方の識別情報を前記記載者識別情報として取得する。例えば、前述のクラークＡ（図２及び図３参照）による代行操作に応じて前記記載処理部１１１により前記電子カルテに前記カルテ情報が記載された場合に、前記取得処理部１１２は、代行操作の対象医師である医師Ａの識別情報と代行者であるクラークＡの識別情報とを前記記載者識別情報として取得する。
【００４０】
前記記憶処理部１１３は、前記取得処理部１１２により取得される前記記載者情報を前記カルテ情報と関連付けて前記記憶部１２に記憶することが可能である。具体的に、前記記憶処理部１１３は、前記記載処理部１１１により前記電子カルテに前記カルテ情報が記載されるごとに、前記取得処理部１１２により取得された前記記載者情報を前記カルテ情報と関連付けて、前記記憶部１２に前記ＸＭＬ情報Ｄ２として記憶する。
【００４１】
ここに、図６は、前記記憶処理部１１３によって前記記憶部１２に記憶される前記ＸＭＬ情報Ｄ２の一部を示している。図６に示されるように、ＸＭＬ情報Ｄ２において、カルテ情報Ｂ１１に対して記載者情報Ｗ１１が関連付けて記憶されており、カルテ情報Ｂ１２に対して記載者情報Ｗ１２が関連付けて記憶されている。
【００４２】
図６に示される前記記載者情報Ｗ１１は、カルテ情報Ｂ１１の記載者のユーザーＩＤが「００２」であることと、カルテ情報Ｂ１１の記載者のユーザー名が「医師Ａ」であることと、カルテ情報Ｂ１１の記載日時が２０１６年７月６日の１９時４２分１２秒であることを示している。また、前記記載者情報Ｗ１１は、「ProxyUserID」及び「ProxyUserName」の値が空であることから、カルテ情報Ｂ１１が代行操作により記載されたものではないことを示している。
【００４３】
図６に示される前記記載者情報Ｗ１２は、カルテ情報Ｂ１２の記載者のユーザーＩＤが「００５」であることと、カルテ情報Ｂ１２の記載者のユーザー名が「クラークＡ」であることと、カルテ情報Ｂ１２が代行操作により記載されたものであり、その対象医師のユーザーＩＤ及びユーザー名が「００２」及び「医師Ａ」であることと、カルテ情報Ｂ１２の記載日時が２０１６年７月６日の１９時４５分２７秒」であることを示している。
【００４４】
前記表示制御部１１４は、前記電子カルテに記載された複数の前記カルテ情報と共に、当該カルテ情報に関連付けられた前記記載者情報を前記表示部１３又は表示部２３に表示させることが可能である。例えば、前記表示制御部１１４は、前記カルテ情報に関連付けられた前記記載者情報を前記カルテ情報に隣接して表示させてもよい。なお、前記表示制御部１１４は、前記ＸＭＬ情報Ｄ２に含まれている前記カルテ情報及び当該カルテ情報に対応する前記記載者情報に基づいて、当該カルテ情報及び当該記載者情報を前記表示部１３又は表示部２３に表示させる。
【００４５】
ここに、図７は、前記表示制御部１１４により前記表示領域Ａ２に表示される電子カルテの一例を示している。図７に示される例では、カルテ情報Ｂ１〜Ｂ２１各々の下部に、対応する記載者情報Ｗ１〜Ｗ２１が隣接して表示されている。これにより、カルテ情報各々について、いつ・誰が記載したのかが分かり易く表示される。
【００４６】
なお、図６に示される記載者情報Ｗ１２のように前記記載者情報に対象医師の識別情報が含まれている場合には、前記表示制御部１１４は、例えば図７に示される記載者情報Ｗ１２のように、代行者及び対象医師の両方が分かるように前記記載者情報を表示する。図７に示される記載者情報Ｗ１２では、「医師Ａ（代：クラークＡ）」と表示されており、医師Ａの代行者としてクラークＡがカルテ情報Ｂ１２を記載したことが明示されている。
【００４７】
なお、前記電子カルテプログラムのバージョンの違いなどの何らかの理由によって、前記カルテ情報に前記記載者情報が関連付けられていない場合には、前記表示制御部１１４は、例えば図７に示される記載者情報Ｗ１５のように、前記記載者情報が関連付けられていない旨を表示してもよい。
【００４８】
なお、前記表示制御部１１４は、第１表示モードと第２表示モードとを含む複数の表示モードの中からユーザー操作に応じて随時に選択される表示モードで前記カルテ情報を表示させることが可能である。前記第１表示モードは、例えば図５に示される表示例のように、前記カルテ情報及び前記記載者情報のうちの前記カルテ情報のみを前記表示部１３又は表示部２３に表示させる表示モードである。前記第２表示モードは、例えば図７に示される表示例のように、前記カルテ情報及び前記記載者情報の両方を前記表示部１３又は表示部２３に表示させる表示モードである。
【００４９】
前記表示制御部１１４は、ユーザーによる所定の表示モード切替操作に応じて前記表示モードを切り替えることができる。例えば、前記表示制御部１１４は、前記表示領域Ａ２におけるヘッダー領域（図５において「現在カルテ」と表示されている領域）がマウスで左クリックされるごとに、前記表示モードを順次に切り替えてもよい。これにより、ユーザーは簡単な操作で即座に所望の表示モードに切り替えることができる。
【００５０】
なお、前記第２表示モードにおいて、前記表示制御部１１４は、前記カルテ情報とは異なる表示態様で前記記載者情報を表示してもよい。例えば、前記カルテ情報が相対的に目立つ色（例えば、黒色などの濃い色）で表示され、前記記載者情報が相対的に目立たない色（例えば、灰色などの薄い色）で表示されてもよい。もしくは、前記カルテ情報が相対的に大きい文字で表示され、前記記載者情報が相対的に小さい文字で表示されてもよい。これにより、前記第２表示モードにおいて、前記カルテ情報と前記記載者情報とを容易に判別可能となるため、前記記載者情報が表示されることによる前記カルテ情報の視認性の低下、及びそれに起因する前記カルテ情報の見落としなどを抑制することができる。
【００５１】
なお、前記表示制御部１１４は、前記第２表示モードにおいて、前記記載者情報に含まれる前記記載者識別情報及び前記記載日時情報のうちのいずれか一方のみを表示してもよい。もしくは、前記表示制御部１１４は、前記記載者情報に含まれる前記記載者識別情報及び前記記載日時情報の両方を表示する表示モードと、前記記載者識別情報及び前記記載日時情報のうちの前記記載者識別情報のみを表示する表示モードと、前記記載者識別情報及び前記記載日時情報のうちの前記記載日時情報のみを表示する表示モードとを、ユーザー操作に応じて順次に切り替えてもよい。
【００５２】
前記更新処理部１１５は、前記電子カルテに記載された前記カルテ情報をユーザー操作に応じて更新することが可能である。例えば、前記表示領域Ａ２に表示されている前記カルテ情報のいずれかが、例えばマウスのダブルクリック操作等によって更新対象として選択されると、当該カルテ情報が表示されたテキストボックスが表示されて、キーボードによる当該カルテ情報の変更が可能となる。その後、最終的に確定ボタンが操作された時点で、当該カルテ情報が更新される。
【００５３】
前記更新処理部１１５により前記カルテ情報が更新された場合に、前記取得処理部１１２は、当該カルテ情報の更新者の識別情報及び当該カルテ情報の更新日時を前記記載者識別情報として取得する。例えば前記確定ボタンが操作された時点の日時が、前記記載日時情報として取得される。前記取得処理部１１２により取得された前記記載者情報は、前記記憶処理部１１３により前記カルテ情報と関連付けて前記記憶部１２に記憶される。このとき、更新前の前記カルテ情報に対応する前記記載者情報は、更新後の前記カルテ情報に対応する前記記載者情報によって上書きされても構わないし、上書きされずに保持されても構わない。前記表示制御部１１４は、前記カルテ情報と共に、当該カルテ情報に関連付けられた最新の前記記載者情報を前記表示部１３又は表示部２３に表示させる。
【００５４】
前記印刷制御部１１６は、前記電子カルテに記載された前記カルテ情報と共に、当該カルテ情報に関連付けられた前記記載者情報を前記プリンター３０に印刷させることが可能である。前記プリンター３０は、本発明の「印刷部」の一例である。
【００５５】
なお、前記印刷制御部１１６は、第１印刷モードと第２印刷モードとを含む複数の印刷モードの中からユーザー操作に応じて選択される印刷モードで前記カルテ情報を前記プリンター３０に印刷させることが可能である。前記第１印刷モードは、前記カルテ情報及び前記記載者情報のうちの前記カルテ情報のみを前記プリンター３０に印刷させる印刷モードである。すなわち、前記第１印刷モードは、前記第１表示モードに対応する印刷モードである。前記第２印刷モードは、前記カルテ情報及び前記記載者情報の両方を前記プリンター３０に印刷させる印刷モードである。すなわち、前記第２印刷モードは、前記第２表示モードに対応する印刷モードである。
【００５６】
前記印刷モードの選択方法としては、例えば、設定画面等から前記第１印刷モード又は前記第２印刷モードのいずれか一方の印刷モードを予め設定しておく方法が考えられる。もしくは、ユーザーによる所定の印刷操作が行われるときに、前記印刷モードを選択可能なダイアログボックスが表示されてもよい。さらには、前記印刷操作が行われた時点の表示モード（前記第１表示モード又は前記第２表示モード）に応じて、当該表示モードに対応する前記印刷モード（前記第１印刷モード又は前記第２印刷モード）が自動的に選択されてもよい。
【００５７】
なお、本実施形態では、前記カルテ情報は、予め定義されたブロックごとに一纏めにされた状態で前記ＸＭＬ情報Ｄ２として記憶される。
【００５８】
例えば、検査結果に関するカルテ情報（以下、「検査結果情報」と称す）については、検査日が共通する複数の検査結果情報が１ブロックに纏められて前記ＸＭＬ情報Ｄ２として記憶される。具体的には、前記ＸＭＬ情報Ｄ２において、検査日が共通する複数の検査結果情報が、検査結果に関するブロックであることを示す開始タグと終了タグとの間に挿入される。よって、或る検査日の検査結果情報（以下、「第１検査結果情報」と称す）が前記ＸＭＬ情報Ｄ２としてすでに記憶されている状態で、同一の検査日の新たな検査結果情報（以下、「第２検査結果情報」と称す）が記憶される場合は、これらの２つの検査結果情報が１ブロックに纏められて前記ＸＭＬ情報Ｄ２として記憶される。その結果、前記表示領域Ａ２には、これらの２つの検査結果情報が１ブロックとして表示される。なお、本実施形態では、前記記憶処理部１１３は、前記取得処理部１１２により取得される前記記載者情報を、前記ブロックごとに前記記憶部１２に記憶する。よって、前記第１検査結果情報と前記第２検査結果情報とが纏められたブロックには、前記第２検査結果情報の記載者及び記載日時を示す前記記載者情報が関連付けられる。その結果、前記第２表示モードでは、前記第１検査結果情報の前記記載者情報は表示されず、前記第２検査結果情報の前記記載者情報が表示される。
【００５９】
また、例えば、投薬に関するカルテ情報（以下、「投薬情報」と称す）については、用法及び投与日数が共通する複数の投薬情報が１ブロックに纏められて前記ＸＭＬ情報Ｄ２に記憶される。よって、用法及び投与日数の投薬情報（以下、「第１投薬情報」と称す）が前記ＸＭＬ情報Ｄ２としてすでに記憶されている状態で、同一の用法及び投与日数の新たな投薬情報（以下、「第２投薬情報」と称す）が記憶される場合は、これらの２つの投薬情報が１ブロックに纏められて前記ＸＭＬ情報Ｄ２として記憶される。その結果、前記表示領域Ａ２には、これらの２つの投薬情報が１ブロックとして表示される。そして、前記第２表示モードでは、前記第１投薬情報の前記記載者情報は表示されず、前記第２投薬情報の前記記載者情報が表示される。
【００６０】
このように、本実施形態では、複数のカルテ情報が１ブロックに纏められた場合に、前記複数のカルテ情報に対応する前記記載者情報が全て記憶されるのではなく、記載日時が最も遅いカルテ情報のみが記憶される。よって、前記複数のカルテ情報に対応する前記記載者情報が全て記憶されることによる前記ＸＭＬ情報Ｄ２のファイルサイズの増加が抑制される。なお、他の実施形態として、複数のカルテ情報が１ブロックに纏められた場合において、前記複数のカルテ情報に対応する前記記載者情報が全て記憶されてもよい。
【００６１】
また、本実施形態では、複数のカルテ情報が１ブロックに纏められた場合に、前記複数のカルテ情報に対応する前記記載者情報が全て表示されるのではなく、記載日時が最も遅いカルテ情報のみが表示される。よって、前記第２表示モードにおいて前記複数のカルテ情報に対応する前記記載者情報が全て表示されることによるカルテ情報の視認性の低下が抑制される。なお、他の実施形態として、複数のカルテ情報が１ブロックに纏められた場合において、前記複数のカルテ情報に対応する前記記載者情報が全て表示されてもよい。
【００６２】
なお、複数のカルテ情報が「１ブロックに纏められて記憶される」とは、必ずしも前記複数のカルテ情報が隣接又は近接して記憶される必要はなく、前記制御部１１が前記複数のカルテ情報を１ブロックとして認識可能な状態で記憶されれば十分である。例えば、前記複数のカルテ情報が互いに関連付けて記憶されてもよい。
【００６３】
なお、前記ブロックの定義（すなわち、複数のカルテ情報を一纏めにする条件）をユーザー操作に応じて変更、追加、又は削除可能であってもよい。また、前記ブロックをユーザー操作に応じて複数のブロックに分割可能であってもよい。また、複数の前記ブロックをユーザー操作に応じて１つのブロックに結合可能であってもよい。例えば、任意の情報が入力可能な入力領域に対してユーザーが入力操作を行っている途中で、カーソルが他の領域に移動した場合、他の項目が選択された場合、改行が行われた場合、又はＴａｂキーが操作された場合などの区切り操作が行われた場合に、その都度、前記記載者情報が取得されて対応付けて記憶されることが考えられる。この場合、その後に、カーソルが前記入力領域に戻されて入力が継続された場合、前記改行が削除されて入力が継続された場合、前記Ｔａｂキーの操作によって入力されたスペースが削除されて入力が継続された場合には、その後に区切り操作が行われた時点でそれまでの入力内容が１つのブロックとして結合され、そのブロックに対応する前記記載者情報が取得されて対応付けて記憶されることが考えられる。その他、用法及び投与日数が共通する複数の投薬情報をそれぞれ１つの処方オーダーとして捉えた場合に、複数の処方オーダーの纏まりが前記ブロックの定義に含まれていてもよい。例えば、Ａ薬品について用法及び投与日数などの第１処方オーダーの情報が入力された時点では当該第１処方オーダーの情報に対応する前記記載者情報が取得され、その後に、Ｂ薬品について前記Ａ薬品と用法及び投与日数が同じ第２処方オーダーの情報が入力された場合には、これらの第１処方オーダー及び第２処方オーダーの纏まりが１つのブロックとして判断され、当該ブロックに対応する前記記載者情報が取得されて当該ブロックに対応付けて記憶されることが考えられる。
【００６４】
［クライアント端末２０］
一方、図１に示すように、前記クライアント端末２０は、制御部２１、記憶部２２、表示部２３、操作部２４、通信ＩＦ２５、及びドライブ装置２６などを備えるコンピュータである。前記クライアント端末２０は、病院の診療室、調剤が行われる調剤室、患者が入院する病棟、及び会計窓口などに設けられ、医師、薬剤師、看護師、及び事務員などの医療従事者によって用いられる操作端末である。
【００６５】
前記制御部２１は、ＣＰＵ、ＲＯＭ、ＲＡＭ、及びＥＥＰＲＯＭなどの制御機器を有する。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。そして、前記制御部２１は、前記ＣＰＵを用いて、前記ＲＯＭ、前記ＥＥＰＲＯＭ、又は前記記憶部２２に予め記憶された各種の制御プログラムに従って各種の処理を実行する。
【００６６】
前記記憶部２２は、前記制御部２１によって実行される各種の制御プログラム及び各種のデータが記憶されるハードディスク、ＳＳＤ、又はフラッシュメモリ等の不揮発性の記憶部である。具体的に、前記記憶部２２には、オペレーティングシステム（ＯＳ）及びブラウザソフトなどのアプリケーションプログラムが記憶される。前記ブラウザソフトは、前記ネットワーク４０を介して前記電子カルテ装置１０にアクセスすることにより前記表示部２３に各種の操作画面などを表示させると共に、前記操作画面における前記操作部２４を用いた入力操作を前記電子カルテ装置１０に伝達するためのアプリケーションソフトウェアである。具体的に、前記制御部２１は、前記ブラウザソフトにより表示される操作画面の所定位置に、前記電子カルテ装置１０に対応するＵＲＬ（Universal  Resource  Locator）などのアドレス情報が入力された場合に、該アドレス情報に基づいて前記電子カルテ装置１０にアクセスする。
【００６７】
前記表示部２３は、前記制御部２１からの制御指示に従って各種の情報を表示する液晶ディスプレイ又は有機ＥＬディスプレイなどの表示部である。前記操作部２４は、前記クライアント端末２０に各種の情報を入力するためにユーザーによって操作される操作部である。具体的に、前記操作部２４は、前記表示部２３に表示される各種の操作画面における入力操作を受け付けるキーボード及びマウス（ポインティングデバイス）を含む。また、前記操作部２４は、前記表示部２３に表示される各種の操作画面に対するタッチ操作を受け付けるタッチパネル、又は音声認識により各種情報の入力を受け付ける音声入力装置を含むものであってもよい。
【００６８】
前記通信ＩＦ２５は、前記ネットワーク４０を介して前記電子カルテ装置１０などの外部機器との間で、予め定められた通信プロトコルに従って無線又は有線でデータ通信を実行するネットワークカード等を有する通信インターフェースである。
【００６９】
前記ドライブ装置２６は、前記ＯＳ又は前記ブラウザソフトなどが記録されたコンピュータ読み取り可能な記録媒体２６１から前記ＯＳ又は前記ブラウザソフトなどの情報を読み取ることが可能である。前記記録媒体２６１は、ＣＤ、ＤＶＤ、ＢＤ、又はＵＳＢメモリなどであり、前記ドライブ装置２６は、ＣＤドライブ、ＤＶＤドライブ、ＢＤドライブ、又はＵＳＢポートなどである。
【００７０】
そして、前記電子カルテシステム１では、前記電子カルテ装置１０及び前記クライアント端末２０によりサーバークライアントシステムが構成され、前記電子カルテ装置１０が前記クライアント端末２０のユーザー操作に応じて各種情報の表示、記録、及び印刷などの処理などを実行する。即ち、以下に説明する表示、操作、選択、及び入力などは、前記電子カルテ装置１０の前記表示部１３、前記操作部１４、又は前記クライアント端末２０の前記表示部２３、前記操作部２４などを用いて行われる。
【００７１】
［電子カルテ処理］
ここに、図８は、前記制御部１１で実行される電子カルテ処理の手順の一例を示すフローチャートである。前記電子カルテ処理は、前記電子カルテ装置１０において前記電子カルテプログラムの実行が開始されたことに応じて開始される。
【００７２】
＜ステップＳ１１＞
ステップＳ１１において、前記制御部１１は、ログイン処理を行う。具体的に、前記制御部１１は、ユーザーによるログイン操作（例えば、ログインボタンの操作）に応じて、ユーザー名及びパスワードを入力するためのログイン画面を表示する。そして、前記制御部１１は、入力されたユーザー名及びパスワードと、アカウント管理マスターＤ１に登録されているユーザー情報とを照合して、ユーザー認証を行う。
【００７３】
＜ステップＳ１２＞
ステップＳ１２において、前記制御部１１は、ユーザー操作に応じてカルテ画面Ｐ２を表示する。例えば、前記制御部１１は、受診リスト画面（不図示）に一覧表示されている患者の中からいずれかの患者が選択されたことに応じて、当該患者の電子カルテに対応するカルテ画面Ｐ２を表示する。
【００７４】
＜ステップＳ１３＞
ステップＳ１３において、前記制御部１１（前記記載処理部１１１）は、前記電子カルテに新たなカルテ情報を記載する記載操作が行われたか否かを判断する。そして、前記制御部１１は、前記記載操作が行われたと判断されると（Ｓ１３：Ｙｅｓ）、処理をステップＳ１４に移行させ、前記記載操作が行われていないと判断されると（Ｓ１３：Ｎｏ）、処理をステップＳ１６に移行させる。なお、前記記載操作は、例えば、キーボードによる文字列の入力操作、前記キーパッドによる入力操作、マウスによる前記ドラッグアンドドロップ操作などである。
【００７５】
＜ステップＳ１４＞
ステップＳ１４において、前記制御部１１（前記取得処理部１１２）は、前記電子カルテに新たに記載された前記カルテ情報に対応する前記記載者情報（すなわち、前記記載者識別情報及び前記記載日時情報）を取得する。具体的に、前記制御部１１は、ログイン中のユーザーのユーザーＩＤ及びユーザー名を前記記載者識別情報として取得すると共に、現在時刻を前記記載日時情報として取得する。
【００７６】
＜ステップＳ１５＞
ステップＳ１５において、前記制御部１１（前記記憶処理部１１３）は、前記ステップＳ１４で取得された前記記載者情報を、前記電子カルテに新たに記載された前記カルテ情報と関連付けて記憶部１２に記憶する。具体的に、前記制御部１１は、前記記載者情報及び前記カルテ情報を、前記ＸＭＬ情報Ｄ２として記憶部１２に記憶する。そして、前記制御部１１は、処理をステップＳ１６に移行させる。
【００７７】
＜ステップＳ１６＞
ステップＳ１６において、前記制御部１１（前記更新処理部１１５）は、前記電子カルテに記載済みのカルテ情報を更新する更新操作が行われたか否かを判断する。そして、前記制御部１１は、前記更新操作が行われたと判断されると（Ｓ１６：Ｙｅｓ）、処理をステップＳ１７に移行させ、前記更新操作が行われていないと判断されると（Ｓ１６：Ｎｏ）、処理をステップＳ１９に移行させる。なお、前記更新操作は、例えば、マウスによる前記ダブルクリック操作などである。
【００７８】
＜ステップＳ１７＞
ステップＳ１７において、前記制御部１１（前記取得処理部１１２）は、更新された前記カルテ情報に対応する前記記載者情報（すなわち、前記記載者識別情報及び前記記載日時情報）を取得する。具体的に、前記制御部１１は、ログイン中のユーザーのユーザーＩＤ及びユーザー名を前記記載者識別情報として取得すると共に、現在時刻を前記記載日時情報として取得する。
【００７９】
＜ステップＳ１８＞
ステップＳ１８において、前記制御部１１（前記記憶処理部１１３）は、前記ステップＳ１７で取得された前記記載者情報を、更新された前記カルテ情報と関連付けて記憶部１２に記憶する。具体的に、前記制御部１１は、前記記載者情報及び前記カルテ情報を、前記ＸＭＬ情報Ｄ２として記憶部１２に記憶する。そして、前記制御部１１は、処理をステップＳ１９に移行させる。
【００８０】
＜ステップＳ１９＞
ステップＳ１９において、前記制御部１１（表示制御部１１４）は、前記表示モードの切り替えを要求する表示モード切替操作が行われたか否かを判断する。そして、前記制御部１１は、前記表示モード切替操作が行われたと判断されると（Ｓ１９：Ｙｅｓ）、処理をステップＳ２０に移行させ、前記表示モード切替操作が行われていないと判断されると（Ｓ１９：Ｎｏ）、処理をステップＳ２１に移行させる。なお、前記表示モード切替操作は、例えば、前記ヘッダー領域におけるマウスの左クリック操作などである。
【００８１】
＜ステップＳ２０＞
ステップＳ２０において、前記制御部１１（表示制御部１１４）は、前記表示モードを切り替える。例えば、現在の表示モードが前記第１表示モードである場合には、前記制御部１１は、前記第２表示モードに切り替える。その結果、前記カルテ画面Ｐ２において、前記カルテ情報に対応する前記記載者情報が表示されるようになる。また、現在の表示モードが前記第２表示モードである場合には、前記制御部１１は、前記第１表示モードに切り替える。その結果、前記カルテ画面Ｐ２において、前記カルテ情報に対応する前記記載者情報が非表示となる。そして、前記制御部１１は、処理をステップＳ２１に移行させる。
【００８２】
＜ステップＳ２１＞
ステップＳ２１において、前記制御部１１（印刷制御部１１６）は、前記カルテ情報の印刷を要求する印刷操作が行われたか否かを判断する。そして、前記制御部１１は、前記印刷操作が行われたと判断されると（Ｓ２１：Ｙｅｓ）、処理をステップＳ２２に移行させ、前記印刷操作が行われていないと判断されると（Ｓ２１：Ｎｏ）、処理をステップＳ２３に移行させる。なお、前記印刷操作は、例えば、印刷ボタンの操作などである。
【００８３】
＜ステップＳ２２＞
ステップＳ２２において、前記制御部１１（印刷制御部１１６）は、前記カルテ情報を前記プリンター３０に印刷させる。具体的に、前記制御部１１は、前記カルテ情報を含む印刷データを生成して前記プリンター３０に送信し、前記プリンター３０に前記カルテ情報を印刷させる。ここで、前記制御部１１は、ユーザーによって前記第２印刷モードが選択されている場合には、前記カルテ情報と共に前記記載者情報を前記プリンター３０に印刷させる。一方、ユーザーによって前記第１印刷モードが選択されている場合には、前記制御部１１は、前記カルテ情報のみを前記プリンター３０に印刷させる。そして、前記制御部１１は、処理をステップＳ２３に移行させる。
【００８４】
＜ステップＳ２３＞
ステップＳ２３において、前記制御部１１は、前記カルテ情報の保存を要求する保存操作が行われたか否かを判断する。そして、前記制御部１１は、前記保存操作が行われたと判断されると（Ｓ２３：Ｙｅｓ）、処理をステップＳ２４に移行させ、前記保存操作が行われていないと判断されると（Ｓ２３：Ｎｏ）、処理をステップＳ２５に移行させる。なお、前記保存操作は、例えば、保存ボタンの操作などである。
【００８５】
＜ステップＳ２４＞
ステップＳ２４において、前記制御部１１は、前記カルテ情報を前記カルテデータベースＤ３に保存する。具体的に、前記制御部１１は、前記ＸＭＬ情報Ｄ２に含まれている前記カルテ情報と、当該カルテ情報に関連付けられている前記記載者情報とを、前記カルテデータベースＤ３に登録する。そして、前記制御部１１は、処理をステップＳ２５に移行させる。
【００８６】
＜ステップＳ２５＞
ステップＳ２５において、前記制御部１１は、ユーザーによるログアウト操作（例えば、ログアウトボタンの操作）が行われたか否かを判断する。そして、前記制御部１１は、前記ログアウト操作が行われたと判断されると（Ｓ２５：Ｙｅｓ）、処理を前記ステップＳ１１に戻し、前記ログアウト操作が行われていないと判断されると（Ｓ２５：Ｎｏ）、処理を前記ステップＳ１３に戻す。
【００８７】
以上説明したように、前記電子カルテ装置１０では、前記制御部１１によって前記電子カルテ処理が実行されることによって、前記電子カルテに前記カルテ情報が記載されるごとに前記記載者情報が取得されて、当該記載者情報が前記カルテ情報と関連付けて記憶部１２に記憶される。そのため、前記電子カルテに記載された個々のカルテ情報をいつ・誰が記載したのかが分かるようになる。
【００８８】
また、前記電子カルテ装置１０では、前記電子カルテに前記カルテ情報を記載する際に表示されるカルテ画面Ｐ２において前記記載者情報が表示される。そのため、例えば医師が前記電子カルテに前記カルテ情報を記載している途中で、当該電子カルテに他のユーザーによって間違ったカルテ情報が記載されていることに気づいた場合でも、当該カルテ情報を誰が記載したのかがすぐに分かる。
【００８９】
また、前記電子カルテ装置１０では、前記記載者情報が表示されない前記第１表示モードと、前記記載者情報が表示される前記第２表示モードとを任意に切り替え可能である。そのため、例えば、基本的には前記第１表示モードを利用し、前記保存操作を行う前の確認作業時にのみ前記第２表示モードに一時的に切り替えるというように、状況に応じて任意に表示モードを切り替えることができる。
【００９０】
また、前記電子カルテ装置１０では、前記カルテ情報が代行者によって記載された場合に、当該代行者の識別情報と対象医師の識別情報とが取得されて、前記カルテ情報に関連付けて記憶される。そのため、前記カルテ情報が代行者によって記載された場合でも、当該代行者に前記カルテ情報を記載させた医師が誰であるかが分かるようになる。
【００９１】
なお、本実施形態では、前記電子カルテ装置１０及び前記クライアント端末２０によりサーバークライアントシステムが構成され、前記電子カルテ装置１０において前記電子カルテプログラムが実行されるが、本発明はこれに限定されない。他の実施形態では、いずれかの前記クライアント端末２０において前記電子カルテプログラムが実行されてもよい。この場合、前記電子カルテ装置１０は、単なるデータサーバーとして機能してもよい。さらに他の実施形態では、前記電子カルテシステム１が、前記電子カルテプログラムを実行するスタンドアローン型の情報処理装置のみで構成されてもよい。
【００９２】
また、本実施形態では、前記ＸＭＬ情報Ｄ２として一旦記憶された前記カルテ情報及び前記記載者情報が、最終的にカルテデータベースＤ３に保存されるが、本発明はこれに限定されない。他の実施形態では、例えば、前記カルテ情報及び前記記載者情報が前記ＸＭＬ情報Ｄ２のまま長期的に保存されてもよい。もしくは、前記制御部１１が、前記電子カルテに前記カルテ情報が記載されるごとに、当該カルテ情報と当該カルテ情報に対応する前記記載者情報とをカルテデータベースＤ３に随時保存してもよい。
【００９３】
また、本実施形態では、１人の代行者に対して１人の対象医師が予め登録されるが、本発明はこれに限定されない。他の実施形態では、例えば、１人の代行者に対して複数の対象医師が予め登録されてもよい。この場合、前記制御部１１が、前記代行者がログインする際に表示されるログイン画面で、前記複数の対象医師の中から１人の対象医師を前記代行者に選択させてもよい。
【００９４】
また、本実施形態では、前記カルテ画面Ｐ２の前記表示領域Ａ２において、現在の編集対象である電子カルテに関する前記記載者情報が表示されるが、本発明はこれに限定されない。他の実施形態では、前記制御部１１が、例えば前記カルテ画面Ｐ２の前記表示領域Ａ１に、過去に作成された電子カルテに関する前記記載者情報を表示してもよい。
【００９５】
また、本実施形態では、前記第２表示モードにおいて、前記カルテ情報と当該カルテ情報に対応する前記記載者情報とが隣接して表示されるが、本発明はこれに限定されない。他の実施形態では、例えば前記カルテ情報上にポインターが移動されたことに応じて、前記制御部１１が、当該カルテ情報に対応する前記記載者情報をポップアップ表示してもよい。
【００９６】
また、本実施形態では、前記第２表示モードにおいて、複数の前記記載者情報が同一の表示態様で（例えば、全て灰色で）表示されるが、本発明はこれに限定されない。他の実施形態では、前記制御部１１が、例えば、記載者ごとに異なる表示態様（例えば、異なる色）で前記記載者情報を表示してもよい。さらに他の実施形態では、前記制御部１１が、現在ログイン中のユーザーによって記載された前記カルテ情報に対応する前記記載者情報の表示態様と、その他のユーザーによって記載された前記カルテ情報に対応する前記記載者情報の表示態様とを異なる表示態様に設定してもよい。例えば、前記制御部１１が、後者の表示態様を、前者の表示態様よりも目立つ表示態様に設定してもよい。
【００９７】
また、本実施形態では、前記第２表示モードにおいて、前記表示領域Ａ２に表示されている全ての前記カルテ情報に対応する前記記載者情報が表示されるが、本発明はこれに限定されない。他の実施形態では、前記制御部１１が、前記表示領域Ａ２に表示されている前記カルテ情報の一部に対応する前記記載者情報のみを表示してもよい。例えば、前記制御部１１が、前記表示領域Ａ２に表示されている前記カルテ情報のうち、現在ログイン中のユーザー以外のユーザーによって記載された前記カルテ情報に対応する前記記載者情報のみを表示してもよい。
【符号の説明】
【００９８】
１：電子カルテシステム
１０：電子カルテ装置
１１：制御部
１２：記憶部
１３：表示部
１４：操作部
１５：通信ＩＦ
１６：ドライブ装置
２０：クライアント端末
２１：制御部
２２：記憶部
２３：表示部
２４：操作部
２５：通信ＩＦ
２６：ドライブ装置
３０：プリンター
４０：ネットワーク
Ｂ１〜Ｂ２１：カルテ情報
Ｗ１〜Ｗ２１：記載者情報
【図１】
2020170549.tif 000003
【図２】
2020170549.tif 000004
【図３】
2020170549.tif 000005
【図４】
2020170549.tif 000006
【図５】
2020170549.tif 000007
【図６】
2020170549.tif 000008
【図７】
2020170549.tif 000009
【図８】
2020170549.tif 000010